(57)【特許請求の範囲】
【請求項１】
スピニングリールのロータの第１及び第２ロータアームに設けられ、前記第１ロータアームに連結された第１ベール支持部材と、前記第１ベール支持部材に第１端が固定された固定軸と、前記固定軸に回転自在に装着されるラインローラと、前記固定軸の第２端に設けられた固定軸カバーと、前記第２ロータアームに設けられた第２ベール支持部材と、前記固定軸カバーと前記第２ベール支持部材とを連結するベールと、を有する釣り糸案内機構に代えて少なくとも前記第１ロータアームに取り付け可能なスピニングリールのロータ交換部品であって、
前記第１ベール支持部材と前記ラインローラを挟んで配置可能であり、前記ラインローラより大径であり先端が完結しているカバー部材、を備え、
前記カバー部材は、前記ラインローラ取付側と逆側の端面が径方向外方に全周にわたって環状に突出した大径部と、前記大径部から先端が略球形状に突出して完結するように形成された突出部と、を有している、スピニングリールのロータ交換部品。
【請求項２】
前記固定軸に代えて前記第１ベール支持部材に第１端を固定可能であり、前記ラインローラを回転自在に装着可能な軸部材をさらに備え、
前記カバー部材は、前記固定軸カバーに代えて前記軸部材の第２端に一体で設けられる、請求項１に記載のスピニングリールのロータ交換部品。
【請求項３】
前記カバー部材は、前記固定軸カバーに代えて前記固定軸に装着可能である、請求項１に記載のスピニングリールのロータ交換部品。
【請求項４】
前記カバー部材は、大径部の基端からラインローラに向かって滑らかに縮径しかつ傾斜が徐々に緩くなるように形成された傾斜部をさらに有する、請求項１から３のいずれか１項に記載のスピニングリールのロータ交換部品。
【請求項５】
前記第２ロータアームの先端に前記第２ベール支持部材に代えて第１端が装着可能であり、第２端が完結しているバランス部材をさらに備える、請求項１から４のいずれか１項に記載のスピニングリールのロータ交換部品。
【請求項６】
前記バランス部材は、前記第２端が前記第１端より質量が大きくなるように形成されている、請求項５に記載のスピニングリールのロータ交換部品。
【発明の詳細な説明】
【技術分野】
【０００１】
本発明はロータ交換部品、特に、第１及び第２ベール支持部材を含む釣り糸案内機構を有するロータを、ベールを有さないベールレスリールにするためのスピニングリールのロータ交換部品に関する。
【背景技術】
【０００２】
スピニングリールのロータには、釣り糸をスプールに案内する釣り糸案内機構が設けられている。釣り糸案内機構は、ロータの第１及び第２ロータアームに設けられている。釣り糸案内機構は、第１ロータアームに連結された第１ベール支持部材と、第１ベール支持部材に第１端が固定された固定軸と、固定軸に回転自在に装着されるラインローラと、固定軸の第２端に設けられた固定軸カバーと、第２ロータアームに設けられた第２ベール支持部材と、固定軸カバーと前記第２ベール支持部材とを連結する線材形状の細長いベールと、を有している（たとえば、特許文献１参照）。
【０００３】
このような構成の釣り糸案内機構は、釣り糸をスプールに案内する糸巻取姿勢と、釣り糸をスプールから放出する際に邪魔にならないようにした糸開放姿勢とに揺動自在に装着されている。
【先行技術文献】
【特許文献】
【０００４】
【特許文献１】特開２００５−１７６７１４号公報
【発明の開示】
【発明が解決しようとする課題】
【０００５】
前記従来のスピニングリールの釣り糸案内機構には、細長いベールが設けられている。このように細長いベールが設けられていると、遠方の釣り場に釣りに行くときに釣り用品や衣類等の他のものとともにスピニングリールを旅行鞄に詰め込むと、ベールが他のものから押圧された変形することがある。特に大型のリールでは、ベールも大きくなるので、鞄にスピニングリールを詰め込んだときに変形する確率が高くなる。ベールが変形すると、ベールがスプールに接触してベールをうまく揺動できなくなるという不具合が生じることがある。
【０００６】
本発明の課題は、スピニングリールにおいて、ベールの変形による不具合が生じないようなロータ交換部品を提供することにある。
【課題を解決するための手段】
【０００７】
発明１に係るスピニングリールのロータ交換部品は、スピニングリールのロータの第１及び第２ロータアームに設けられ、第１ロータアームに連結された第１ベール支持部材と、第１ベール支持部材に第１端が固定された固定軸と、固定軸に回転自在に装着されるラインローラと、固定軸の第２端に設けられた固定軸カバーと、第２ロータアームに設けられた第２ベール支持部材と、固定軸カバーと第２ベール支持部材とを連結するベールと、を有する釣り糸案内機構に代えて少なくとも第１ロータアームに取り付け可能なスピニングリールのロータ交換部品であって、第１ベール支持部材とラインローラを挟んで配置可能であり、ラインローラより大径であり先端が完結しているカバー部材を備えている。カバー部材は、ラインローラ取付側と逆側の端面が径方向外方に全周にわたって環状に突出した大径部と、大径部から先端が略球形状に突出して完結するように形成された突出部と、を有している。
【０００８】
この交換部品では、通常の釣り糸案内機構を有するロータにおいて、第２ベール支持部材とベールと固定軸と固定軸カバーとを外し、固定軸を第１ベール支持部材に固定してラインローラを支持するとともにカバー部材を固定軸カバーに代えて固定する。このカバー部材はラインローラより大径であるとともに、先端が完結した形状であるので、固定軸カバーの機能を果たせるとともに、釣り糸がラインローラから外れにくくなる。ここでは、釣り糸案内機構の第２ベール支持部材とそれに連結されたベールを外し、さらに第１ベール支持部材側でベールが連結された固定軸カバーを外し、固定軸でカバー部材を取り付けることによりベールレスのスピニングリールを実現できる。このため、ベールがなくなってベールの変形による不具合が生じなくなる。
【０００９】
また、カバー部材の先端部が略球形状に形成された滑らかな突出部となっているので、釣り糸の巻き取りを阻害する方向や、あるいはカバー部材から糸落ちしてしまう方向に向くことがなくなる。
【００１０】
発明２に係るスピニングリールのロータ交換部品は、発明１に記載の部品において、固定軸に代えて第１ベール支持部材に第１端を固定可能であり、ラインローラを回転自在に装着可能な軸部材をさらに備え、カバー部材は、定軸カバーに代えて軸部材の第２端に一体で設けられる。
【００１１】
この交換部品では、通常の釣り糸案内機構を有するロータにおいて、第２ベール支持部材とベールと固定軸カバーと固定軸とを外し、固定軸に代えて軸部材を第１ベール支持部材に固定してラインローラを支持し、軸部材と一体形成されたカバー部材を固定軸カバーに代えて設ける。このカバー部材はラインローラより大径であるとともに、先端が完結した形状であるので、固定軸カバーの機能を果たせるとともに、釣り糸がラインローラから外れにくくなる。ここでは、釣り糸案内機構の第２ベール支持部材とそれに連結されたベールを外し、さらに第１ベール支持部材側でベールが連結された固定軸カバーと固定軸とを外し、軸部材とカバー部材とを取り付けることによりベールレスのスピニングリールを実現できる。このため、ベールがなくなってベールの変形による不具合が生じなくなる。
【００１２】
発明３に係るスピニングリールのロータ交換部品は、発明１に記載の部品において、カバー部材は、固定軸カバーに代えて固定軸に装着可能である。この場合には、カバー部材を固定軸カバーに代えて固定する。
【００１３】
発明４に係るスピニングリールのロータ交換部品は、発明１から３のいずれかに記載のスピニングリールのロータ交換部品において、カバー部材は、大径部の基端からラインローラに向かって滑らかに縮径しかつ傾斜が徐々に緩くなるように形成された傾斜部をさらに有している。
【００１４】
発明５に係るスピニングリールのロータ交換部品は、発明１から４のいずれかに記載の部品において、第２ロータアームの先端に第２ベール支持部材に代えて第１端が装着可能であり、第２端が完結しているバランス部材をさらに備える。この場合には、第２ベール支持部材やベールの質量及び重心に見合うようにバランス部材を配置することにより、第２ベール支持部材やベールが無くなることによるロータの回転バランスの低下を抑えることができる。
【００１５】
発明６に係るスピニングリールのロータ交換部品は、発明５に記載の交換部品において、バランス部材は、第２端が前記第１端より質量が大きくなるように形成されている。この場合には、バランス部材の重心が第２端側に移動するので、第２端がリールの前方を向くように配置することにより、ロータの回転バランスの低下をさらに抑えることができる。
【発明の効果】
【００１６】
本発明によれば、釣り糸案内機構の第２ベール支持部材とそれに連結されたベールを外し、さらに第１ベール支持部材側でベールが連結された固定軸カバーと固定軸とを外し、固定軸でカバー部材を取り付けることによりベールレスのスピニングリールを実現できる。このため、ベールがなくなってベールの変形による不具合が生じなくなる。
【００１７】
さらに、カバー部材の先端部が略球形状に形成された滑らかな突出部となっているので、釣り糸の巻き取りを阻害する方向や、あるいはカバー部材から糸落ちしてしまう方向に向くことがなくなる。
【図面の簡単な説明】
【００１８】
【図１】本発明の一実施形態が採用されたスピニングリールの側面図。
【図２】前記スピニングリールの側面断面図。
【図３】ベールレス型の釣り糸案内機構の分解斜視図。
【図４】前記釣り糸案内機構の拡大側面断面図。
【図５】前記釣り糸案内機構の拡大側面図。
【図６】バランス部材の平面図
【図７】バランス部材の分解斜視図。
【図８】前記ベールレス型の釣り糸案内機構に代えてベールを有する別の釣り糸案内機構が装着されたスピニングリールの側面図。
【図９】その図４に相当する図。
【図１０】他の実施形態の図４に相当する図。
【発明を実施するための形態】
【００１９】
本発明の一実施形態が採用されたスピニングリールは、図１及び図２に示すように、釣り糸を前方に繰り出すリールであって、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２０】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａの前部には、前方に突出する筒状部２ｃが設けられている。
【００２１】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２２】
円筒部３０の前部には、図２に示すように、前壁３３が形成されており、前壁３３の中央部にはボス部３３ａが形成されている。ボス部３３ａの中心部には面取り部１２ｂに回転不能に係止される小判形状の貫通孔３３ｂが形成されており、この貫通孔３３ｂをピニオンギアの前部１２ａ及びスプール軸１５が貫通している。前壁３３の前部にナット１３が配置されており、ナット１３の内部には、スプール軸１５を回転自在に支持する軸受３５が配置されている。
【００２３】
円筒部３０の内側において、リールボディ２ａの筒状部２ｃの内部にはロータ３の逆転を常時禁止するための逆転防止機構５０が配置されている。逆転防止機構５０は、内輪が遊転するローラ型のワンウェイクラッチ５１を有している。
【００２４】
第１ロータアーム３１は、図１から図３に示すように、円筒部３０から外方に凸に湾曲して前方に延びており、円筒部３０との接続部は円筒部３０の周方向に広がり湾曲している。第１ロータアーム３１の先端の外周側には、後述するロータ交換部品６０が装着されたベールレス型の釣り糸案内機構７６が揺動自在に装着されている。第２ロータアーム３２は、図１及び図２に示すように、円筒部３０から外方に凸に湾曲して前方に延びている。第２ロータアーム３２は、円筒部３０から外方に凸に湾曲して前方に延びており、円筒部３０との接続部は円筒部３０の周方向に広がり湾曲している。第２ロータアーム３２の先端外周側には、ロータ交換部品６０を構成するバランス部材７２が相対移動不能に装着されている。
【００２５】
バランス部材７２は、図６及び図７に示すように、第２ロータアーム３２の先端部に第１端の装着部７２ａが着脱自在に装着されており、第２端側の突出部７２ｂが前方を向くようにボルト部材６２によって相対移動不能に固定されている。バランス部材７２の突出部７２ｂは、球状に丸められて完結しており、第２端側が第１端側より質量が大きくなるように装着部７２ａに対して突出部７２ｂの厚みが厚く形成されている。バランス部材７２の装着部７２ａと突出部７２ｂとの間には、重心を第２端側に偏倚させるための円形孔７２ｃが形成されている。ここでは、釣り糸案内機構７６を含む第１ロータアーム３１側の重量より軽くなりやすい第２ロータアーム３２側にバランス部材７２が設けられているので、ロータ３の回転バランスの低下を抑えることができる。
【００２６】
釣り糸案内機構７６は、図１及び図２に示す糸案内姿勢とそれから反転した糸開放姿勢との間で揺動自在である。
【００２７】
釣り糸案内機構７６は、図１から図３に示すように、第１ロータアーム３１の先端にのみ糸案内姿勢と糸開放姿勢とに揺動自在に装着された第１ベール支持部材７０と、第１ベール支持部材７０に第１端が固定された軸部材７３（図３参照）と、軸部材７３に回動自在に支持され周面に釣り糸を案内するローラが形成されたラインローラ７１と、軸部材７３の第２端に配置され、釣り糸をラインローラ７１に導くカバー部材７４とを有している。この軸部材７３とカバー部材７４とバランス部材７２とにより、本発明の一実施形態によるロータ交換部品６０が構成されている。
【００２８】
第１ベール支持部材７０は、図３から図５に示すように、たとえばクロムメッキにより形成された金属皮膜により外側面が覆われたアルミニウム合金製の部材である。このクロムメッキにより表面が硬質になり、釣り糸の接触による外側面の傷付きを防止できる。第１ベール支持部材７０の外側面の先端側には、固定ボルト７７の頭部が収納される第１収納凹部７０ａ（図４参照）が形成されている。また、第１ベール支持部材７０の基端側には、第１ベール支持部材７０を第１ロータアーム３１に取り付けるための取付ボルト７９の頭部が収納される円形の第２収納凹部７０ｂ（図３及び図４参照）が形成されている。
【００２９】
図８及び図９に示す通常のベールを有するスピニングリールの釣り糸案内機構４６の固定軸４３と固定軸カバー４４と第２ベール支持部材４２とベール４５と取り外した後に、固定軸４３を軸部材７３に、固定軸カバー４４をカバー部材７４に、第２ベール支持部材４２をバランス材７２に交換することにより、ロータ交換部品６０によってベールレス形の釣り糸案内機構７６を実現できる。
【００３０】
軸部材７３は、図３及び図４に示すように、カバー部材７４と一体成形されている。軸部材７３は、カバー部材７４を第１ベール支持部材７０に固定するとともに、ラインローラ７１を回転自在に支持するために設けられている。軸部材７３は、カバー部材７４の基端部より小径に形成されラインローラ７１を支持する支持部７３ａと、支持部７３ａの先端に形成された係止部７３ｂとを有している。係止部７３ｂは、第１ベール支持部材７０に形成された係止溝７０ｃ（図３及び図４参照）係合し、これらの係合によりカバー部材７４及び軸部材７３と第１ベール支持部材７０との回り止めがなされる。
【００３１】
カバー部材７４は、図３から図５に示すように、軸部材７３と一体成形され、軸部材７３の第２端に第１ベール支持部材７０と間隔を隔てて設けられ、ラインローラ７１取付側と逆側の端面が径方向外方に全周にわたって環状に突出した大径部７４ｂと、大径部７４ｂの先端が略球形状に突出して完結するように形成された突出部７４ａと、大径部７４ｂの基端から軸部材７３に装着されたラインローラ７１に向かって滑らかに縮径するように形成された傾斜部７４ｃとを有している。このようなカバー部材７４では、釣り糸を略球形状の突出部７４ａから大径部７４ｂに引っ掛け、テーパ状の傾斜部７４ｃを介してラインローラ７１に釣り糸を案内するようになっている。
【００３２】
ラインローラ７１は、図３及び図４に示すように、軸方向に間隔を隔てて配置された２つの軸受７８ａ、７８ｂにより軸部材７３に回転自在に支持されている。ラインローラ７１は、軸方向の中心に形成された小径のガイド溝７１ａを挟んで第１筒部７１ｂと第２筒部７１ｃとが形成されている。第１筒部７１ｂは、カバー部材７４内に入り込んでおり、第２筒部７１ｃより小径である。第２筒部７１ｃは、第１ベール支持部材７０の先端外周部と対向して配置されている。ラインローラ７１の内部には、軸受７８ａ、７８ｂを装着するための図示しないカラーやスペーサやワッシャが装着されている。
【００３３】
ここでは、釣り糸案内機構７６を含む第１ロータアーム３１側の重量より軽くなりやすい第２ロータアーム３２側に第１バランス部材７２が設けられているので、ロータ３の回転バランスの低下を防止できる。
【００３４】
釣り糸案内機構７６の動作について説明する。
【００３５】
キャスティング時には、釣り糸案内機構７６を糸開放姿勢に反転させる。これにより第１ベール支持部材７０が揺動する。この状態で釣竿を握る手の人差し指で釣り糸を引っ掛けながらキャスティングする。すると、釣り糸は仕掛けの重さにより勢いよく放出される。この状態でハンドル１を糸巻取方向に回転させると、ロータ駆動機構５によりロータ３が糸巻取方向に回転し、釣り糸案内機構７６が図示しないベール反転機構により糸巻取位置に復帰し、釣り糸を略球形状の突出部７４ａから大径部７４ｂに引っ掛け、テーパ状の傾斜部７４ｃを介してラインローラ７１に移動してスプール４に巻き付けられる。
【００３６】
スプール４は、図２に示すように、ロータ３の第１ロータアーム３１と第２ロータアーム３２との間に配置されている。スプール４は、前後方向に沿って配置されたスプール軸１５に着脱自在に装着可能なものである。
【００３７】
スプール４は、たとえばアルミニウム合金を鍛造成形して得られた大小２段の円筒状の部材である。スプール４は、外周面に釣り糸を巻き付け可能な筒状の糸巻胴部４ａと、糸巻胴部４ａの前後に設けられた大径の前後の前フランジ部４ｂ及び後フランジ部４ｃと、後フランジ部４ｃから後方に延びる筒状のスカート部４ｄとを有している。
【００３８】
ロータ駆動機構５は、図２に示すように、ハンドル１が連結されたハンドル軸１０とともに回転するフェースギア１１と、このフェースギア１１に噛み合うピニオンギア１２とを有している。ピニオンギア１２は前後方向に配置され筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。ピニオンギア１２の前部１２ａには所定長さの平行な面取り部が形成されている。この面取り部は、ロータ３及びロータ３の糸繰り出し方向の回転を禁止するワンウェイクラッチ５１をピニオンギア１２に回転不能に連結するために形成されている。
【００３９】
オシレーティング機構６は、図２に示すように、トラバースカム方式の機構であり、スプール４の中心部に連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、リール本体２に回転不能かつ軸方向移動自在に支持されている。スライダ２２にはスプール軸１５の基端部が回転不能に固定されている。したがって、スプール軸１５もリール本体２に対して回転不能である。中間ギア２３は、ピニオンギア１２に噛み合っている。
【００４０】
また、ロータ３は、図１から図５に示すベールレス型の釣り糸案内機構７６と、図８に示すベール４５を有する別の釣り糸案内機構４６とが相互に交換可能である。
【００４１】
釣り糸案内機構４６は、図８及び図９に示すように、釣り糸案内機構７６に代えて、第１ロータアーム３１及び第２ロータアーム３２の先端にそれぞれ糸案内姿勢と糸開放姿勢とに揺動自在に装着された第１ベール支持部材７０及び第２ベール支持部材４２と、第１ベール支持部材７０に一端が固定された固定軸４３と、固定軸４３に回動自在に支持され周面に釣り糸を案内するローラが形成されたラインローラ７１と、固定軸４３の他端に第１ベール支持部材７０と間隔を隔てて設けられ釣り糸をラインローラ７１に導く固定軸カバー４４と、第２ベール支持部材４２と少なくとも固定軸４３及び固定軸カバー４４のいずれかと、に両端が固定されスプール４の周方向外方に湾曲して配置され釣り糸をラインローラ７１に導くベール４５とを有している。
【００４２】
固定軸４３の先端には、第１ベール支持部材７０に形成された係止溝７０ｃに係止される第１係止部４３ｂが形成されている。固定軸４３の基端には、大径の頭部４３ｃと頭部４３ｃ近接して配置された第２係止部４３ｄとが形成されている。固定軸カバー４４には、固定軸４３の第２係止部４３ｄに回転不能に係合する係止孔４４ｄが形成されている。
【００４３】
第２ベール支持部材４２は、第２ロータアーム３２の先端内周側に揺動自在に装着されている。ラインローラ７１と第２ベール支持部材４２との間には、線材を略Ｕ状に湾曲させた形状のベール４５が固定されている。固定軸４３は、固定軸カバー４４と一体成形されており、さらに、固定軸カバー４４は、略Ｕ状に湾曲させた形状のベール４５と、たとえば鍛造により一体形成されている。
【００４４】
このようなベール４５を有する釣り糸案内機構４６からベールレス型の釣り糸案内機構７６に交換する動作について説明する。
【００４５】
まず、釣り糸案内機構４６のうち第１ベール支持部材７０を残した状態で、第２ベール支持部材４２、ラインローラ７１、固定軸４３、固定軸カバー４４及びベール４５を取り外す。そして、釣り糸案内機構４６の固定軸４３、固定軸カバー４４及びベール４５に代えて、釣り糸案内機構７６の軸部材７３、カバー部材７４を装着する。具体的には、カバー部材７４と一体の軸部材７３の外周にラインローラ７１を装着した状態で、軸部材７３の係止部７３ｂを第１ベール支持部材７０の係止溝７０ｃに係止し、固定ボルト７７を締結することによってラインローラ７１、軸部材７３、カバー部材７４のユニットを第１ベール支持部材７０に固定する。そして、第２ベール支持部材４２に代えて、バランス部材７２を第２ロータアーム３２の先端に相対移動不能に固定する。
【００４６】
ここでは４、釣り糸案内機構４６の第２ベール支持部材４２とそれに連結されたベール４５を外し、さらに第１ベール支持部材側でベールが連結された固定軸カバー４４と固定軸４３とを外し、軸部材７３とカバー部材７４とを取り付けることによりベールレスのスピニングリールを実現できる。このため、ベールがなくなってベールの変形による不具合が生じなくなる。
【００４７】
また、カバー部材７４は略球形状に形成された滑らかな突出部７４ａを有しているので、ベールを有する釣り糸案内機構４６の固定軸４３、固定軸カバー４４及びベール４５を取り外し、ベールレス型の釣り糸案内機構７６の軸部材７３、カバー部材７４を交換する場合でも、釣り糸の巻き取りを阻害する方向や、あるいはカバー部材７４から糸落ちしてしまう方向に向くことがなくなる。したがって、ベールレス型の釣り糸案内機構７６のカバー部材７４を、ベール４５を有する釣り糸案内機構４６の固定軸カバー４４と交換した場合でも、釣り糸をスムーズに案内できる。
【００４８】
さらに、カバー部材７４は、ラインローラ７１取付側と逆側の端面が径方向外方に突出した大径部７４ｂを有しているので、ラインローラ７１に案内された釣り糸がカバー部材７４側に移動しても、移動した釣り糸が径方向外方に突出した大径部７４ｂによって移動が規制されるので、カバー部材７４からの糸落ちをさらに防止することができる。
【００４９】
また、カバー部材７４は、大径部７４ｂの基端からラインローラ７１に向かってテーパ状に滑らかに縮径した傾斜部７４ｃを有しているので、釣り糸をラインローラ７１にスムーズに案内できる。さらに、カバー部材７４は、略球形状に形成された滑らかな突出部７４ａを介して、釣り糸を大径部７４ｂに容易に引っ掛けることができる。
【００５０】
〔他の実施形態〕
（ａ）  前記実施形態では、軸部材７３とカバー部材７４とが一体成形されていたが、図１０に示すように、釣り糸案内機構１７６において、軸部材１７３とカバー部材１７４とを別体に形成してもよい。軸部材１７３は、カバー部材１７４が一体形成されていないため、大径の頭部１７３ｃと、頭部１７３ｃに近接して配置されたカバー部材と回転不能に係合する第２係止部１７３ｄと、を有している。軸部材１７３は前記実施形態と同様に固定ボルト７７により第１ベール支持部材７０に固定される。カバー部材１７４は、前記実施形態と同様な突出部１７４ａ，大径部１７４ｂ及び傾斜部１７４ｃに加えて、第２係止部１７３ｄと回転不能に係合する長円形の係合孔１７４ｄを有している。
【００５１】
ここでは、軸部材１７３とカバー部材１７４とを異なる材質の部材で形成できるとともに、軸部材１７３及びカバー部材１７４の加工が容易になる。なお、軸部材１７３とカバー部材１７４とを別体に形成した場合には、図１０に示す釣り糸案内機構１７６の軸部材１７３と図９に示す釣り糸案内機構４６の固定軸４３と共用化できるので、ロータ交換部品１６０は、カバー部材１７４とバランス部材７２とだけで構成される。
【００５２】
（ｂ）  前記実施形態では、ロータ交換部品としてバランス部材７２を設けたが、バランス部材７２を設けなくてもよい。
【符号の説明】
【００５３】
３  ロータ
３１  第１ロータアーム
３２  第２ロータアーム
４２  第２ベール支持部材
４３  固定軸
４４  固定軸カバー
４５  ベール
４６  釣り糸案内機構（ベールを有する）
６０，１６０  ロータ交換部品
７０  第１ベール支持部材
７１  ラインローラ
７２  バランス部材
７３，１７３  軸部材
７４，１７４  カバー部材
７４ａ  突出部
７６，１７６  釣り糸案内機構（ベールレスの）
【図１】
0005228135.tif 000002
【図２】
0005228135.tif 000003
【図３】
0005228135.tif 000004
【図４】
0005228135.tif 000005
【図５】
0005228135.tif 000006
【図６】
0005228135.tif 000007
【図７】
0005228135.tif 000008
【図８】
0005228135.tif 000009
【図９】
0005228135.tif 000010
【図１０】
0005228135.tif 000011